(57)【要約】【課題】効率的な設置作業で付属品の脱落を防止することのできる照明器具用の付属品取付構造、照明器具用の付属品ユニット及び照明器具を提供する。【解決手段】付属品取付構造１は、器具本体４に引っ掛かって保持される取付具６と、取付具６に付属品５を結合させるねじ具７を含む。ねじ具７は、取付具６に貫通形成されたねじ孔６１に噛み合う雄ねじ部７１と、ねじ孔６１に噛み合わない小径の中間軸部７３と、中間軸部７３よりも大径の脱落防止部７５を、この順で有する。【選択図】図２
2019160666.tif 000002
【特許請求の範囲】
【請求項１】
照明器具の器具本体に、付属品を取り付けるための取付構造であって、
前記器具本体に引っ掛かって保持される取付具と、
前記取付具と前記付属品を結合させるねじ具を含み、
前記ねじ具は、
前記取付具に貫通形成されたねじ孔に噛み合う雄ねじ部と、
前記ねじ孔に噛み合わないように、前記雄ねじ部よりも小径に形成された中間軸部と、
前記中間軸部よりも大径に形成された脱落防止部を、この順で有する、
照明器具用の付属品取付構造。
【請求項２】
前記脱落防止部の外面には、
前記ねじ孔に噛み合うことのできる雄ねじが形成されている、
請求項１の照明器具用の付属品取付構造。
【請求項３】
前記取付具を二つ含み、
前記二つの取付具の一つは、前記器具本体の外面の第一部分に引っ掛かる取付具であり、
前記二つの取付具のもう一つは、前記外面の前記第一部分とは反対側の第二部分に引っ掛かる取付具である、
請求項１又は２の照明器具用の付属品取付構造。
【請求項４】
前記二つの取付具の形状は、前記器具本体に引っ掛かった状態で、互いに面対称である、
請求項３の照明器具用の付属品取付構造。
【請求項５】
前記取付具は、
前記器具本体の外面に引っ掛かる一対の引掛部を、所定方向に互いに距離をあけて有し、
前記取付具の前記ねじ孔は、前記所定方向において、前記一対の引掛部のうち一方に寄って位置する、
請求項１から４のいずれかの照明器具用の付属品取付構造。
【請求項６】
前記照明器具は、屋外用の投光器である、
請求項１から５のいずれかの照明器具用の付属品取付構造。
【請求項７】
前記付属品は、前記器具本体の照射範囲を規制するルーバーである、
請求項１から６のいずれかの照明器具用の付属品取付構造。
【請求項８】
請求項１から７のいずれかの照明器具用の付属品取付構造と、
前記取付具が結合される前記付属品を備える、
照明器具用の付属品ユニット。
【請求項９】
請求項１から７のいずれかの照明器具用の付属品取付構造と、
前記取付具が結合される前記付属品と、
前記取付具が引っ掛かる前記器具本体を備える、
照明器具。
【発明の詳細な説明】
【技術分野】
【０００１】
本発明は、照明器具用の付属品取付構造、照明器具用の付属品ユニット及び照明器具に関する。
【背景技術】
【０００２】
特許文献１等に示されているように、照明器具の器具本体に、ルーバー等の付属品を着脱自在に装着することが、従来行われている。
【先行技術文献】
【特許文献】
【０００３】
【特許文献１】特開２０１７−６９０２５号公報
【発明の概要】
【発明が解決しようとする課題】
【０００４】
上記した照明器具において、器具本体から付属品が脱落することを避ける手段としては、脱落防止用のワイヤを用いることが一般的である。しかし、この場合には、器具本体に付属品を取り付ける作業と、この作業とは別に落下防止用のワイヤで器具本体と付属品を繋ぐ作業が必要であり、照明器具の設置作業が煩雑になる。
【０００５】
本発明は、効率的な設置作業で付属品の脱落を防止することのできる照明器具用の付属品取付構造、照明器具用の付属品ユニット及び照明器具を提供することを、目的とする。
【課題を解決するための手段】
【０００６】
本発明の一態様に係る照明器具用の付属品取付構造は、照明器具の器具本体に、付属品を取り付けるための取付構造であって、前記器具本体に引っ掛かって保持される取付具と、前記取付具と前記付属品を結合させるねじ具を含む。前記ねじ具は、前記取付具に貫通形成されたねじ孔に噛み合う雄ねじ部と、前記ねじ孔に噛み合わないように、前記雄ねじ部よりも小径に形成された中間軸部と、前記中間軸部よりも大径に形成された脱落防止部を、この順で有する。
【０００７】
本発明の一態様に係る照明器具用の付属品ユニットは、前記照明器具用の付属品取付構造と、前記取付具が結合される前記付属品を備える。
【０００８】
本発明の一態様に係る照明器具は、前記照明器具用の付属品取付構造と、前記取付具が結合される前記付属品と、前記取付具が引っ掛かる前記器具本体を備える。
【発明の効果】
【０００９】
本発明は、効率的な設置作業で付属品の脱落を防止することのできる照明器具用の付属品取付構造、照明器具用の付属品ユニット及び照明器具を提供することができるという効果を奏する。
【図面の簡単な説明】
【００１０】
【図１】図１は、実施形態の照明器具の正面図である。
【図２】図２は、図１のＡ−Ａ線断面図である。
【図３】図３は、同上の照明器具の平面図である。
【図４】図４は、図３のＰ部拡大図である。
【図５】図５は、同上の照明器具の背面図である。
【図６】図６は、同上の照明器具において、器具本体に付属品を取り付ける手順を示す斜視図である。
【図７】図７は、同上の照明器具において、器具本体に付属品を取り付ける次の手順を示す斜視図である。
【図８】図８は、同上の器具本体の正面図である。
【図９】図９は、同上の器具本体に引っ掛けられる取付具の斜視図である。
【図１０】図１０は、同上の取付具に結合されるねじ具の側面図である。
【発明を実施するための形態】
【００１１】
（実施形態）
実施形態の照明器具について、添付図面に基づいて説明する。
【００１２】
図１等に示すように、本実施形態の照明器具３は、光源部４１を有する器具本体４と、器具本体４に対して着脱自在に装着される付属品５を備える。
【００１３】
本実施形態の照明器具３において、照明器具３は、屋外用の投光器である。器具本体４は、投光器本体である。付属品５は、光源部４１からの照射範囲を規制するために器具本体４の前面に装着されるルーバーである。
【００１４】
本文で用いる前後、左右、上下の各方向は、図中に矢印で示す方向であり、器具本体４を設置した状態を基準としている。器具本体４を設置した状態において、光源部４１からの光は、前方に向けて照射される。言い換えれば、器具本体４から光を照射する方向が前方であり、これの反対方向が後方である。前後方向と左右方向と上下方向は、互いに直交する方向である。
【００１５】
まず、図８等に基づいて、器具本体４の構造について説明する。
【００１６】
器具本体４は、箱型の本体ケース４０を備える。本体ケース４０の上側の部分に光源部４１が収容され、本体ケース４０の下側の部分に電源装置が収容されている。
【００１７】
本体ケース４０の前壁のうち上側の一部は、透光パネル４２で構成されている。透光パネル４２は、光源部４１の前方に位置する。
【００１８】
本体ケース４０の後面の上半部には、複数の放熱フィン４５が設けられている（図６等参照）。複数の放熱フィン４５は、互いに平行に並んだ多数の放熱フィン４５である。複数の放熱フィン４５は、光源部４１の後方に位置する。
【００１９】
本体ケース４０の下側の部分に収容される電源装置は、外部電源（例えば、商用の交流電源）から電源ケーブル４９を介して供給される交流電力を直流電力に変換し、該直流電力を光源部４１に供給する。
【００２０】
光源部４１は、複数の光源４１０を一体に備える。複数の光源４１０は、上下左右にマトリクス状に配列された六つの光源４１０である。各光源４１０は、ＬＥＤ（Light Emitting Diode）モジュールとこれの前方に位置するレンズ４１５を有する。光源４１０の数は六つに限定されず、例えば五つの光源４１０が配列されてもよい。また、光源４１０の種別はＬＥＤに限定されず、例えば白熱電球、蛍光灯、有機ＥＬ（Electro Luminescence）等の他の種別の光源を用いることも可能である。
【００２１】
器具本体４は、本体ケース４０の外側面に回転自在に連結されたＵ字型のアーム４８を、更に備える。アーム４８の長手方向の両端部は、本体ケース４０の左右の外側面にねじ固定可能である。
【００２２】
次に、付属品５の構造について説明する。
【００２３】
ルーバーである付属品５は、矩形状の外形を有するフレーム５１と、フレーム５１に結合された複数の長板５５を備える（図１、図７等参照）。複数の長板５５は、左右方向を長手方向とする姿勢で、フレーム５１に対してねじ固定されている。複数の長板５５は、互いに平行である。
【００２４】
矩形環状のフレーム５１は、互いに平行である左右一対の縦材５１２と、互いに平行である上下一対の横材５１４を含む。左右一対の縦材５１２は、それぞれ上下の横材５１４にねじ固定されている。
【００２５】
左右一対の縦材５１２からは、左右方向において互いに離れる側にフランジ５３が延長されている。左右のフランジ５３は、それぞれ複数の貫通孔５３１を有する。複数の貫通孔５３１は、ねじを挿通することのできる三つの貫通孔５３１である。
【００２６】
次に、付属品５を器具本体４に対して着脱自在に取り付けるための付属品取付構造１（以下、単に「取付構造１」という。）について、詳しく説明する。
【００２７】
図６、図７等に示すように、取付構造１は、二つの取付具６と、複数のねじ具７と、ねじ具７とは異なる形状を有する複数のねじ具８１と、二つの板材８２を含む。
【００２８】
これらのねじ具７，８１を用いて二つの取付具６を付属品５に固定し、二つの取付具６と付属品５の間に、器具本体４の一部を前後に挟み込むことで、付属品５は器具本体４に固定される。
【００２９】
本実施形態において、複数のねじ具７は、脱落防止機能を有する二つのねじ具７である。このねじ具７は、最も大径に形成された頭部７０と、外周面に雄ねじ７１２が形成された雄ねじ部７１と、雄ねじ部７１よりも小径に形成された中間軸部７３と、中間軸部７３よりも大径に形成された脱落防止部７５を、この順で同軸上に有する（図１０等参照）。
【００３０】
中間軸部７３の外周面には雄ねじが形成されてなく、脱落防止部７５の外周面には雄ねじ７５２が形成されている。中間軸部７３は、ねじ孔６１に噛み合うことがない形状（ねじ孔６１に螺合するねじ山を有さない柱状の形状）である。脱落防止部７５の外径は、雄ねじ部７１の外径と同一であり、脱落防止部７５の雄ねじ７５２の規格は、雄ねじ部７１の雄ねじ７１２の規格と同一である。換言すると、ねじ具７は、一つながりの雄ねじの途中に溝部分（中間軸部７３）を形成し、この溝部分を介して、一つながりの雄ねじを雄ねじ７１２と雄ねじ７５２に分断したような構造である。ねじ具７の頭部７０は、少なくとも雄ねじ部７１よりも大径（ねじ孔６１よりも大径）であればよい。
【００３１】
複数のねじ具８１は、ねじ具７のような脱落防止機能を有さない四つのねじ具８１である。四つのねじ具８１の各々は、頭部８１０と、これ以外の部分の全長にわたって形成された雄ねじ８１２（図２等参照）を有する。本実施形態において、取付構造１は、各ねじ具７，８１に挿通される内歯ワッシャ８５と、各ねじ具８１に挿通されるワッシャ８６を更に含む。
【００３２】
二つの取付具６のうち一つは、本体ケース４０の外面の第一部分４０１に引っ掛けられる。二つの取付具６のもう一つは、本体ケース４０の外面の第二部分４０２に引っ掛けられる。以下においては区別のため、前者の取付具６に符号６ａを付し、後者の取付具６に符号６ｂを付す。
【００３３】
本体ケース４０の外面の第一部分４０１と第二部分４０２は、左右方向において互いに反対側の部分である。第一部分４０１は、本体ケース４０の左側面の前端部のうち上側の部分である。第二部分４０２は、本体ケース４０の右側面の前端部のうち上側の部分である。
【００３４】
第一部分４０１には、取付具６ａが引っ掛かるための一対の突起４３１が、上下に距離をあけて形成されている。一対の突起４３１は、後方に向けて突出している。第二部分４０２には、取付具６ｂが引っ掛かるための一対の突起４３２が、上下に距離をあけて形成されている。一対の突起４３２は、後方に向けて突出している。一対の突起４３１を含む第一部分４０１の形状と、一対の突起４３２を含む第二部分４０２の形状は、本体ケース４０を左右に二分割する仮想面Ｓ１（図５参照）を基準として、互いに面対称である。
【００３５】
同様に、取付具６ａと取付具６ｂは、互いに面対称の形状を有する。本体ケース４０に取付具６ａと取付具６ｂが引っ掛かった状態において、取付具６ａの形状と取付具６ｂの形状は、仮想面Ｓ１を基準として互いに面対称である。
【００３６】
図９に示すように、取付具６ａは、複数のねじ孔６１が貫通形成された固定片６０１と、一対の引掛部６５が上下の両端部に形成された引掛片６０３と、固定片６０１と引掛片６０３をつなぐ連結片６０５を、一体に有する。
【００３７】
複数のねじ孔６１は、固定片６０１をその厚み方向（前後方向）に貫通する四つのねじ孔６１である。四つのねじ孔６１は、ねじ具７を固定可能な形状を有する二つのねじ孔６１１と、ねじ具８１を固定可能な形状を有する二つのねじ孔６１３を含む。
【００３８】
二つのねじ孔６１１は、上下に距離をあけて位置する。二つのねじ孔６１１は、固定片６０１の上下の中間位置よりも上方に位置する上側のねじ孔６１１と、この中間位置よりも下方に位置する下側のねじ孔６１１である。
【００３９】
同様に、二つのねじ孔６１３は、上下に距離をあけて位置する。二つのねじ孔６１３は、固定片６０１の上下の中間位置よりも上方に位置する上側のねじ孔６１３と、この中間位置よりも下方に位置する下側のねじ孔６１３である。上下方向において、二つのねじ孔６１３の間に、二つのねじ孔６１１が位置する。
【００４０】
引掛片６０３は、固定片６０１よりも上下寸法が小さく形成されている。上側の引掛部６５は、上側のねじ孔６１１よりも上方に位置し、且つ、上側のねじ孔６１３よりも下方に位置する。下側の引掛部６５は、下側のねじ孔６１１よりも下方に位置し、且つ、下側のねじ孔６１３よりも上方に位置する。
【００４１】
連結片６０５は、左右方向において固定片６０１と引掛片６０３の間に位置する。連結片６０５は、左右に離れて位置する固定片６０１と引掛片６０３をつなぐ部分である。固定片６０１は、引掛片６０３よりも前方に位置する。連結片６０５は、前後方向において固定片６０１と引掛片６０３の間に位置する。
【００４２】
連結片６０５のうち、引掛片６０３に近い側の部分６０５２は、引掛片６０３よりも上下寸法が小さく形成されている。上側の引掛部６５は、この部分６０５２の上縁よりも上方に突出するように形成され、下側の引掛部６５は、この部分６０５２の下縁よりも下方に突出するように形成されている。
【００４３】
脱落防止機能を有するねじ具７は、二つのねじ孔６１１のうち、上側のねじ孔６１１に固定される。上側のねじ孔６１１は、上側の引掛部６５に近く、下側の引掛部６５からは遠い位置にある。したがって、ねじ具７は、下側の引掛部６５よりも上側の引掛部６５に近い位置で、取付具６ａにねじ固定される。二つのねじ具８は、固定片６０１の二つのねじ孔６１３に、ねじ固定される。
【００４４】
以上、取付具６ａの構成について説明した。上記したように、取付具６ａと取付具６ｂは互いに面対称であり、取付具６ａと取付具６ｂは共通の構造を有する。
【００４５】
したがって、取付具６ｂの構成については、取付具６ａと同じ符号を付して詳しい説明を省略する。
【００４６】
次に、器具本体４に付属品５を取りつける手順の一例を説明する。
【００４７】
取付作業を行うにあたり、付属品ユニット２（図２、図７参照）を用意する。付属品ユニット２は、付属品５と、これを器具本体４に取り付けるための取付構造１（すなわち左右の取付具６ａ，６ｂ、左右のねじ具７，８１等）を含む。
【００４８】
図６に破線矢印で示すように、取付構造１の一部を構成する左右の取付具６ａ，６ｂを、器具本体４の外面の第一部分４０１と第二部分４０２に引っ掛ける。
【００４９】
取付具６ａは、第一部分４０１の上下の突起４３１に対して、着脱自在に引っ掛けられる。このとき、取付具６ａの連結片６０５のうち上下寸法の小さな部分６０５２が、上下の突起４３１の間のスペースに、後方から嵌め込まれる。また、引掛片６０３の上端にある引掛部６５が、上側の突起４３１に対して、左右方向の内側（右側）から引っ掛かり、引掛片６０３の下端にある引掛部６５が、下側の突起４３１に対して、左右方向の内側から引っ掛かる。これにより、取付具６ａは第一部分４０１に着脱自在に保持される。
【００５０】
取付具６ｂは、第二部分４０２の上下の突起４３２に対して、着脱自在に引っ掛けられる（図５等参照）。このとき、取付具６ｂの連結片６０５のうち上下寸法の小さな部分６０５２が、上下の突起４３２の間のスペースに、後方から嵌め込まれる。また、引掛片６０３の上端にある引掛部６５が、上側の突起４３２に対して、左右方向の内側（左側）から引っ掛かり、引掛片６０３の下端にある引掛部６５が、下側の突起４３２に対して、左右方向の内側から引っ掛かる。これにより、取付具６ｂは第二部分４０２に着脱自在に保持される。
【００５１】
図７に破線矢印で示すように、取付具６ａには、付属品５の左側のフランジ５３が、複数の貫通孔８２１を有する板材８２を挟んで、着脱自在にねじ固定される。ここでの固定には、一つのねじ具７と二つのねじ具８１が用いられる。複数の貫通孔８２１は、上下に並んだ四つの貫通孔８２１であり、上下端の貫通孔８２１にねじ具８１が挿通され、これとは別の貫通孔８２１にねじ具７が挿通される。
【００５２】
ねじ具７は、フランジ５３の貫通孔５３１と、板材８２の貫通孔８２１を、前方から後方に貫通したうえで、取付具６ａの上側のねじ孔６１１に固定される。このとき、図２等に示すように、ねじ具７のうち前側の一部を構成する雄ねじ部７１が、ねじ孔６１１に噛み合って結合する。換言すると、雄ねじ部７１はねじ孔６１１に螺合する。ねじ具７のうち、雄ねじ部７１よりも後ろ側の部分を構成する中間軸部７３と脱落防止部７５は、ねじ孔６１１から後方に突出して位置する。
【００５３】
脱落防止部７５の外周面に形成された雄ねじ７５２は、ねじ孔６１１に噛み合うことのできる形状（ねじ孔６１１に螺合可能な形状）を有している。脱落防止部７５は、ねじ具７を捻じ込むときに、ねじ孔６１１と噛み合いながら後方に螺進することができ、ねじ孔６１１を通過した後は、ねじ具７の前方への脱落を防止する機能を発揮する。
【００５４】
ねじ具７の頭部７０は、フランジ５３の前面に当たることで、ねじ具７の後方への落下を防止する。本実施形態において、ねじ具７には内歯ワッシャ８５が嵌められ、この内歯ワッシャ８５が取付具６ａと板材８２の間に挟み込まれる。
【００５５】
ねじ具８１は、フランジ５３と板材８２の貫通孔５３１，８２１を、前方から後方に貫通したうえで、取付具６ａのねじ孔６１３に固定される。
【００５６】
本実施形態において、ねじ具８にはワッシャ８６と内歯ワッシャ８５が嵌められ、ワッシャ８６はねじ具８１の頭部８０とフランジ５３の間に挟み込まれ、内歯ワッシャ８５は取付具６ａと板材８２の間に挟み込まれる。
【００５７】
取付具６ｂには、付属品５の右側のフランジ５３が、複数の貫通孔８２１を有する板材８２を挟んで、着脱自在にねじ固定される。ここでの固定には、取付具６ａの場合と同様に、一つのねじ具７と二つのねじ具８１が用いられる。
【００５８】
取付具６ｂを右側のフランジ５３に固定する構造は、取付具６ａを左側のフランジ５３に固定する構造と共通である（より詳細には面対称な構造である）から、詳しい説明は省略する。
【００５９】
本実施形態の照明器具３では、上記の取付構造１を用いて付属品５を器具本体４に取り付けるので、何らかの原因でねじ具７，８１が緩んでねじ孔６１１，６１３から外れたときにも、ねじ具７がねじ孔６１１から脱落せずに残ることによって、付属品５が器具本体４から脱落することが防止される。
【００６０】
つまり、付属品５を取付具６ａ，６ｂに結合させる左右のねじ具７においては、雄ねじ部７１が前方に外れたときには、脱落防止部７５がねじ孔６１１を通過せずに引っ掛かるので、ねじ具７の脱落が防止される。ねじ具７は、中間軸部７３がねじ孔６１１に挿通された状態で保たれる。中間軸部７３の軸方向の寸法は、少なくともねじ孔６１１の軸方向の寸法よりも長く設定されている。
【００６１】
したがって、本実施形態の照明器具３では、脱落防止用のワイヤを用意して取り付ける作業が必要でなく、設置作業が効率的に行われる。しかも、ワイヤが不要であることから、部品点数の削減が可能であり、また、コスト低減が可能である。
【００６２】
なお、上記した取り付け手順では、左右の取付具６ａ，６ｂを器具本体４に取り付けた後で、付属品５を器具本体４に取り付けているが、この手順は逆でもよい。つまり、付属品５を器具本体４に取り付けた後で、左右の取付具６ａ，６ｂを器具本体４に取り付けてもよい。
【００６３】
（変形例）
次に、本実施形態の照明器具３の各種の変形例について説明する。
【００６４】
本実施形態において、付属品５は、器具本体４の照射範囲を規制して光害対策を図ることのできるルーバーであるが、付属品５はこれに限定されず、器具本体４に対して選択的に取り付けられるフード、ガード等の他の付属品でもよい。
【００６５】
また、ねじ具７が備える脱落防止部７５の構造は、上記の構造に限定されず、例えば、一つながりの雄ねじの軸方向の一部（中間部分）を外力で潰し、この潰れた部分を中間軸部７３とした構造でもよい。或いは、脱落防止部７５を有さないねじ具７を用意し、このねじ具７をねじ孔６１１に挿通した後に、ねじ孔６１１から突出した部分に止め輪、ピン等の別部材を装着してもよい。この場合、該別部材が、雄ねじ部７１よりも径が大きな脱落防止部７５を構成する。
【００６６】
また、本実施形態においては、取付具６とねじ具７を左右に一つずつ用いているが、取付具６とねじ具７の数や位置は特に限定されない。取付具６とねじ具７は、一つ以上であればよい。
【００６７】
照明器具３の他の構成においても、付属品５の脱落防止の機能を発揮する範囲内で適宜の設計変更を行うことや、公知の技術を組みわせることが可能である。
【００６８】
（態様）
上記した実施形態及びこれの各種変形例の記載から明らかなように、第１の態様の照明器具用の付属品取付構造（１）は、照明器具（３）の器具本体（４）に、付属品（５）を取り付けるための取付構造である。第１の態様の照明器具用の付属品取付構造（１）は、器具本体（４）に引っ掛かって保持される取付具（６）と、取付具（６）と付属品（５）を結合させるねじ具（７）を含む。ねじ具（７）は、雄ねじ部（７１）と中間軸部（７３）と脱落防止部（７５）を、この順で有する。雄ねじ部（７１）は、取付具（６）に貫通形成されたねじ孔（６１１）に噛み合う。中間軸部（７３）は、ねじ孔（６１１）に噛み合わないように、雄ねじ部（７１）よりも小径に形成されている。脱落防止部（７５）は、中間軸部（７３）よりも大径に形成されている。
【００６９】
第１の態様の照明器具用の付属品取付構造（１）によれば、ねじ具（７）を取付具（６）に固定する作業によって、付属品（５）を器具本体（４）に固定することに加えて脱落防止を図ることができ、ワイヤ装着等の作業が不要であるから、設置作業が効率的である。
【００７０】
第２の態様の照明器具用の付属品取付構造（１）は、第１の態様との組み合わせにより実現される。第２の態様の照明器具用の付属品取付構造（１）において、脱落防止部（７５）の外面には、ねじ孔（６１１）に噛み合うことのできる雄ねじ（７５２）が形成されている。
【００７１】
第２の態様の照明器具用の付属品取付構造（１）によれば、ねじ具（７）を捻じ込む通常の締結作業によって、脱落防止部（７５）をねじ孔（６１１）に通すことができる。
【００７２】
第３の態様の照明器具用の付属品取付構造（１）は、第１又は第２の態様との組み合わせにより実現される。第３の態様の照明器具用の付属品取付構造（１）は、取付具（６）を二つ含む。二つの取付具（６）の一つは、器具本体（４）の外面の第一部分（４０１）に引っ掛かる取付具（６ａ）である。二つの取付具（６）のもう一つは、この外面の第一部分（４０１）とは反対側の第二部分（４０２）に引っ掛かる取付具（６ｂ）である。
【００７３】
第３の態様の照明器具用の付属品取付構造（１）によれば、取付具（６ａ）と付属品（５）をねじ具（７）で固定し、取付具（６ｂ）と付属品（５）をねじ具（７）で固定することで、付属品（５）が器具本体（４）に対してより安定的に固定される。しかも、両側のねじ具（７）が外れたときには、両側のねじ具（７）において脱落防止機能が発揮されるので、付属品（５）の脱落がより確実に防止される。
【００７４】
第４の態様の照明器具用の付属品取付構造（１）は、第３の態様との組み合わせにより実現される。第４の態様の照明器具用の付属品取付構造（１）において、二つの取付具（６）の形状は、器具本体（４）に引っ掛かった状態で、互いに面対称である。
【００７５】
第４の態様の照明器具用の付属品取付構造（１）によれば、互いに面対称な関係にある二つの取付具（６）を介して、付属品（５）の固定と脱落防止がより安定的に実現される。
【００７６】
第５の態様の照明器具用の付属品取付構造（１）は、第１から第４のいずれかの態様との組み合わせにより実現される。第５の態様の照明器具用の付属品取付構造（１）において、取付具（６）は、器具本体（４）の外面に引っ掛かる一対の引掛部（６５）を、所定方向（実施形態では上下方向）に互いに距離をあけて有する。取付具（６）のねじ孔（６１１）は、この所定方向において、一対の引掛部（６５）のうち一方（実施形態では上側の引掛部（６５））に寄って位置する。
【００７７】
第５の態様の照明器具用の付属品取付構造（１）によれば、ねじ具（７）の固定が外れ、取付具（６）がねじ具（７）を中心としてがたつきを生じるときにも、一対の引掛部（６５）のうち一方（実施形態では上側の引掛部（６５））のがたつき量は抑えられる。したがって、取付具（６）は、少なくとも一つの引掛部（６５）が器具本体（４）に引っ掛かった状態を維持することができる。
【００７８】
第６の態様の照明器具用の付属品取付構造（１）は、第１から第５のいずれかの態様との組み合わせにより実現される。第６の態様の照明器具用の付属品取付構造（１）において、照明器具（３）は、屋外用の投光器である。
【００７９】
第６の態様の照明器具用の付属品取付構造（１）によれば、投光器である照明器具（３）を屋外の高い位置に設置したときでも、付属品（５）が落下することは防止される。しかも、設置作業が効率的に済むので、多様な個所に設置しやすい。
【００８０】
第７の態様の照明器具用の付属品取付構造（１）は、第１から第６のいずれか態様との組み合わせにより実現される。第７の態様の照明器具用の付属品取付構造（１）において、付属品（５）は、器具本体（４）の照射範囲を規制するルーバーである。
【００８１】
第７の態様の照明器具用の付属品取付構造（１）によれば、ルーバーである付属品（５）を器具本体（４）に装着することで、器具本体（４）の照射範囲を規制して光害対策を図ることができる。
【００８２】
第８の態様の照明器具用の付属品ユニット（２）は、第１から第７のいずれかの態様の照明器具用の付属品取付構造（１）と、取付具（６）が結合される付属品（５）を備える。
【００８３】
第８の態様の照明器具用の付属品ユニット（２）によれば、ねじ具（７）を取付具（６）に固定する効率的な作業によって、付属品（５）を器具本体（４）に固定することに加えて、付属品（５）の脱落防止を図ることができる。
【００８４】
第９の態様の照明器具（３）は、第１から第７のいずれかの態様の照明器具用の付属品取付構造（１）と、取付具（６）が結合される付属品（５）と、取付具（６）が引っ掛かる器具本体（４）を備える。
【００８５】
第９の態様の照明器具（３）によれば、ねじ具（７）を取付具（６）に固定する効率的な作業によって、付属品（５）を器具本体（４）に固定することに加えて、付属品（５）の脱落防止を図ることができる。
【符号の説明】
【００８６】
１  付属品取付構造
２  付属品ユニット
３  照明器具
４  器具本体
４０１  第一部分
４０２  第二部分
４１  光源部
５  付属品
６  取付具
６ａ  取付具
６ｂ  取付具
６１１  ねじ孔
６５  引掛部
７  ねじ具
７１  雄ねじ部
７３  中間軸部
７５  脱落防止部
７５２  雄ねじ
【図１】
2019160666.tif 000003
【図２】
2019160666.tif 000004
【図３】
2019160666.tif 000005
【図４】
2019160666.tif 000006
【図５】
2019160666.tif 000007
【図６】
2019160666.tif 000008
【図７】
2019160666.tif 000009
【図８】
2019160666.tif 000010
【図９】
2019160666.tif 000011
【図１０】
2019160666.tif 000012